(57)【要約】      （修正有）【課題】本考案は、拡充モジュールの設計によって外部通信装置と通信する拡張装置及びその保護ケースを提供する。【解決手段】本考案に係る拡張装置１０は、モバイル通信装置に適用される保護ケースに適用される。拡張装置１０は、出力インターフェイス１００４及び外部電源インターフェイス１００２を有する本体１００と、本体１００内に設置され、出力インターフェイス１００４及び外部電源インターフェイス１００２に電気的に接続される変換ユニット１１０と、変換ユニット１１０に電気的に接続される拡充モジュール１３０と、を含む。拡充モジュール１３０は外部通信装置と通信する。【選択図】図１
0003204611.tif 000002
【実用新案登録請求の範囲】
【請求項１】
モバイル通信装置を保護する保護ケースに適用される拡張装置であって、
出力インターフェイス及び外部電源インターフェイスを有する本体と、
前記本体内に設置され、前記出力インターフェイス及び前記外部電源インターフェイスに電気的に接続される変換ユニットと、
前記変換ユニットに電気的に接続され、外部設備と通信するための拡充モジュールと、
を含むことを特徴とする拡張装置。
【請求項２】
前記拡充モジュールは、
記憶ユニットと、
前記外部設備と通信するための通信ユニットと、
前記変換ユニット、前記出力インターフェイス、前記記憶ユニット及び前記通信ユニットに電気的に接続されており、各ユニットとの間の信号を処理して前記モバイル通信装置に送る若しくは前記モバイル通信装置から伝送された信号を受け取る処理ユニットと、
を含み、
前記変換ユニットは、前記処理ユニット、前記通信ユニット及び前記記憶ユニットに供電することを特徴とする請求項１記載の拡張装置。
【請求項３】
前記記憶ユニットは、ＳＤカード及びフラッシュメモリーのいずれか一つ又はその組み合わせであり、
前記通信ユニットは、無線通信素子及び有線通信素子のいずれか一つ又はその組み合わせであることを特徴とする請求項２記載の拡張装置。
【請求項４】
前記拡張装置は、前記変換ユニットに電気的に接続され、前記本体から外に向けて延伸されるフレキシブル回路基板を更に含み、
前記外部電源インターフェイスにより商用電源を受電し、前記変換ユニットにより前記商用電源を第一電力及び第二電力に変換し、前記出力インターフェイスにより前記第一電力を出力し、前記フレキシブル回路基板により前記第二電力を伝送することを特徴とする請求項１記載の拡張装置。
【請求項５】
前記変換ユニットは、
電圧安定化素子と、
前記外部電源インターフェイス及び前記電圧安定化素子に電気的に接続される変換素子と、
前記出力インターフェイス及び前記フレキシブル回路基板に電気的に接続される変圧素子と、
を含むことを特徴とする請求項４に記載の拡張装置。
【請求項６】
前記変換ユニットは、
前記電圧安定化素子又は前記変圧素子に電気的に接続される制御素子と、
前記制御素子に電気的に接続されると共に前記変圧素子と前記フレキシブル回路基板との間に電気的に接続されるスイッチ素子と、
を含み、
前記制御素子は前記スイッチ素子のオン又はオフを制御することを特徴とする請求項５に記載の拡張装置。
【請求項７】
前記保護ケースに設置されると共に前記出力インターフェイスに電気的に接続されており、前記モバイル通信装置に供電するための無線充電モジュールを更に含むことを特徴とする請求項１に記載の拡張装置。
【請求項８】
前記変換ユニットは、電力を保存して前記拡充モジュールに供電するための蓄電池を更に含むことを特徴とする請求項１に記載の拡張装置。
【請求項９】
モバイル通信装置に装着される保護ケースであって、
前記モバイル通信装置を収容する収容部と、
前記収容部の外側に設置される請求項１に記載の拡張装置と、
を含むことを特徴とする保護ケース。
【請求項１０】
前記保護ケースは、前記収容部と接続されており、前記保護ケースの外カバーとしての底部を更に含み、
前記フレキシブル回路基板は、前記外カバー内で接続部まで延伸され、その末端が前記接続部に電気的に接続され、
前記接続部はモバイル電源装置に電気的に接続されることを特徴とする請求項９に記載の保護ケース。
【請求項１１】
前記拡張装置の前記本体と前記収容部とは一体化され、
前記出力インターフェイスは前記収容部の内側に設置され、
前記外部電源インターフェイスは前記収容部の外側に設置されることを特徴とする請求項９に記載の保護ケース。
【請求項１２】
前記保護ケースに設置されると共に前記出力インターフェイスに電気的に接続されており、前記モバイル通信装置に供電するための無線充電モジュールを更に含むことを特徴とする請求項９に記載の保護ケース。
【考案の詳細な説明】
【技術分野】
【０００１】
本考案は、拡張装置及びその保護ケースに関するものであり、特にモバイル通信装置に適用される拡張装置及びその保護ケースに関するものである。
【背景技術】
【０００２】
市販されているモバイル電源は主に、モバイル電源の本体内に設置されたバッテリー及び制御回路基板と、本体に配置された少なくとも一つのＵＳＢ（ユニバーサルシリアルバス）伝送インターフェースとからなる。充電する際、バッテリー内に蓄積された電気エネルギーが制御回路基板によって適正の電圧と電流に変換され、ＵＳＢ伝送インターフェースを介してユーザーのモバイル装置に提供される。スマートフォン及びタブレット等のモバイル装置市場が高度に成長続けることに伴い、モバイル装置もマルチコア化とディスプレーの大型化に向けて発展するため、電力の消費量は明らかに向上すると共に、ここ数年、市場におけるモバイル電源に対する需要も刺激されて大きく成長する。
【０００３】
しかしながら、スマートフォンもタブレットも、このようなモバイル電源を使用するために、別に用意された電力を伝送する電源伝送線が必要となる。また、電力が使い切れた時、このようなモバイル電源は別に用意された充電コンバーターによって電力を補充する。即ち、出かける際、ユーザーは一度にモバイル電源と、電源伝送線と、充電コンバーターとを持ち歩く必要があり、使用する際の面倒と持ち歩く際の不便がある。
【考案の概要】
【考案が解決しようとする課題】
【０００４】
本考案は、拡充モジュールの設計によって外部通信装置と通信する拡張装置及びその保護ケースを提供する。
【課題を解決するための手段】
【０００５】
本考案に係る拡張装置は、モバイル通信装置に適用される保護ケースに適用される。拡張装置は、出力インターフェイス及び外部電源インターフェイスを有する本体と、本体内に設置され、出力インターフェイス及び外部電源インターフェイスに電気的に接続される変換ユニットと、変換ユニットに電気的に接続される拡充モジュールと、を含む。拡充モジュールは外部通信装置と通信する。
【０００６】
本考案に係る保護ケースは、モバイル通信装置に適用される。保護ケースは、収容部と、収容部の外側に設置される拡張装置と、を含む。
【考案の効果】
【０００７】
本考案の具体的な実施形態は、拡張装置及びその保護ケースを利用し、拡充モジュールの設計によって外部通信装置と通信する。そして、スマートフォンなどのモバイル通信装置は、保護ケースによって覆われることにより、優れた保護効果を得られる。本考案は、拡張装置及びその保護ケースの操作利便性、効率、品質を確実に向上する効果がある。
【図面の簡単な説明】
【０００８】
【図１】本考案に係る実施例における拡張装置の模式図である。
【図２】図１に基づく他の実施例における拡張装置の機能ブロック図である。
【図３】本考案に係る他の実施例における保護ケースの模式図である。
【図４】本考案に係る他の実施例における拡張装置の機能ブロック図である。
【図５】本考案に係る他の実施例における拡張装置の機能ブロック図である。
【考案を実施するための形態】
【０００９】
図１は本考案に係る実施例における拡張装置の模式図である。図１に示されたように、拡張装置１０が保護ケースに適用される（絵図なし）。保護ケースはモバイル通信装置を保護する。拡張装置１０は、本体１００と、変換ユニット１１０と、拡充モジュール１３０とを含む。保護ケースは、スマートフォンの保護カバー、タブレットの保護カバー、又は他の通信装置の保護ケースであってもよい。説明の便宜上、本実施例において、スマートフォンの保護カバーを一例として挙げて説明するが、保護ケースの態様は制限されない。
【００１０】
変換ユニット１１０及び拡充モジュール１３０は、本体１００の中に設置される。拡充モジュール１３０は、変換ユニット１１０に電気的に接続される。拡張装置１０はウルトラボックス（Ｕｌｔｒａ  Ｂｏｘ）であり、モバイル通信装置と外部電源との間に電気的に接続される（図示せず）若しくはモバイル通信装置に電気的に接続される。拡張装置１０はプラットホームとして外部からモバイル通信装置に電源を供給する。また、拡張装置１０は外部設備と通信されるプラットフォームとなる。本実施例において、拡張装置１０の態様は制限されない。
【００１１】
また、拡張装置１０は拡充モジュール１３０によって外部装置と通信される。外部装置はスポーツバンド、ウェアラブルデバイス、ノートパソコン、血圧計測機器、血糖計測機器、ランニングマシン、スマート冷蔵庫、スマート家電及び他の設備などであってもよい。本実施例において、外部設備の態様は制限されない。拡張装置１０は拡充モジュール１３０によって、外部設備に記録される生理データ、仕事データ、使用状況データを取得する。拡充モジュール１３０は、生理データ、仕事データ、使用状況データをスマートフォンに転送したり、生理データ、仕事データ、使用状況データを内蔵の記録装置に保存したりすることができる。本実施例において、拡張装置１０の態様は制限されない。
【００１２】
拡充モジュール１３０は少なくとも一つのウェアラブルデバイス（図示せず）のデータをスマートフォンに転送する。拡充モジュール１３０はＷｉ−Ｆｉ通信装置、ｂｌｕｅｔｏｏｔｈ通信装置、又はそのほかの通信装置によって通信する。拡充モジュール１３０は、ウェアラブルデバイスとスマートフォンと通信され、ウェアラブルデバイスに保存した個人情報をスマートフォンにダウンロードすることができる。すなわち、拡充モジュール１３０はウェアラブルデバイスとスマートフォンとの間の通信ブリッジである。本実施例において、拡充モジュール１３０の態様は制限されない。
【００１３】
拡充モジュール１３０はユーザー識別ユニット（言わばｓｉｍカード）及び制御チップによって、ソフトやハード、又はそのほかのアクセサリーから延伸する。一例として、上述スマートデバイスの制御モジュールによってソフトと交流し、スマート家電、健康管理、無線充電、セキュリティシステムなどに使用される。
【００１４】
本体１００は出力インターフェイス１００４及び外部電源インターフェイス１００２を含む。出力インターフェイス１００４はスマートフォンに電気的に接続される。外部電源インターフェイス１００２は外部電源に電気的に接続される。出力インターフェイス１００４は、データ転送ポート、ＵＳＢ接続ポート、サンダーボルトポート、充電構造と電気的に接続する電源接続ポート、スマートフォンの充電孔、接続構造などであってもよい。そして、外部電源インターフェイス１００２は電源接続ポートに接続され、外部電源である商用電源に電気的に接続される。即ち、商用電源は外部電源インターフェイス１００２を介して変換ユニット１１０に入り、変換ユニット１１０によって変換された後、出力インターフェイス１００４によって電力をスマートフォンに出力する。
【００１５】
変換ユニット１１０は本体１００内に設置され、出力インターフェイス１００４及び外部電源インターフェイス１００２に電気的に接続される。本実施例において、変換ユニット１１０は、交流−直流変換回路及び直流−直流変換回路のいずれか一つ又はその組み合わせによって実現される。また、ほかの実施例として、変換ユニット１１０は蓄電池を含める（図示せず）。蓄電池は電力を保存して拡充モジュール１３０に提供する。そのほかの実施例として、変換ユニット１１０は蓄電池を含まないものとして、モバイル電源装置ＰＢ及び外部電源の電力を変換して拡充モジュール１３０に提供する。本実施例において、変換ユニット１１０の態様は制限されない。
【００１６】
図２は本考案に係る他の実施例における拡張装置の機能ブロック図である。図２に示されたように、拡充モジュール１３０は処理ユニット１３０２、記憶ユニット１３０６及び通信ユニット１３０４を含む。処理ユニット１３０２は変換ユニット１１０、出力インターフェイス１００４、記憶ユニット１３０６及び通信ユニット１３０４に電気的に接続される。変換ユニット１１０は処理ユニット１３０２、通信ユニット１３０４及び記憶ユニット１３０６に電力提供する。通信ユニット１３０４は外部設備ＰＤ１〜ＰＤ２に通信する。処理ユニット１３０２は各ユニットとの信号を処理してモバイル通信装置９に送る。又はモバイル通信装置９からの信号を受け取る。本実施例において、拡充モジュール１３０の態様は制限されない。さらに、処理ユニット１３０２は半導体電子素子の制御回路、処理回路又は判断回路によって実現される。本実施例において、処理ユニット１３０２の態様は制限されない。記憶ユニット１３０６はＳＤカード及びフラッシュメモリーのいずれか一つ又はその組み合わせである。ＳＤカードやフラッシュメモリーは取り外し可能、抜き挿し可能又は内蔵された固定素子する。また、記憶ユニット１３０６はスマートフォンの拡充メモリーとして使用されてもよい。すなわち、記憶ユニット１３０６はスマートフォンのメモリーを追加できる。本実施例において、記憶ユニット１３０６の態様は制限されない。
【００１７】
通信ユニット１３０４は無線通信素子Ｗ１及び有線通信素子Ｌ１のいずれか一つ又はその組み合わせである。無線素子Ｗ１はＷｉ−Ｆｉ通信装置、ｂｌｕｅｔｏｏｔｈ通信装置、ＲＦ通信装置又はそのほかの通信装置によって実現される。有線通信素子Ｌ１はＵＳＢポート又はそのほかの通信ポートによって実現される。拡充モジュール１３０は無線素子Ｗ１によって外部設備ＰＤ１と無線通信する。又は、有線通信素子Ｌ１によって外部設備ＰＤ２と有線通信する。本実施例において、通信ユニット１３０４の態様は制限されない。
【００１８】
説明の便宜上、本実施例において、例えばスポーツバンドを外部設備ＰＤ１（以下、スポーツバンドＰＤ１と称する）、例えばノートパソコンを外部設備ＰＤ２（以下、ノートパソコンＰＤ２と称する）、として説明する。ユーザーがスポーツバンドＰＤ１によって毎日の運動量及び睡眠品質を記録する。スポーツバンドＰＤ１の運動データと睡眠品質データは無線素子Ｗ１によって、無線通信で記憶ユニット１３０６に転送する。記憶ユニット１３０６はユーザーの運動データと睡眠品質データを記憶する。また、運動データと睡眠品質データもモバイル通信装置９に転送できる。また、ユーザーは、モバイル通信装置９によって、拡充モジュール１３０の記憶ユニット１３０６の運動データと睡眠品質データを読み取むことができる。
【００１９】
ユーザーはノートパソコンＰＤ２によって仕事記録を作れる。仕事記録は有線通信素子Ｌ１によって、有線で記憶ユニット１３０６に転送される。他実施例において、スポーツバンドＰＤ１は通信ユニット１３０４によって直接運動データと睡眠品質データをモバイル通信装置９に転送する。又はノートパソコンＰＤ２は通信ユニット１３０４によって直接仕事記録をモバイル通信装置９に転送することができるため、あらかじめデータを拡充モジュール１３０の記憶ユニット１３０６に記録する必要がない。本実施例において、拡張装置１０の態様は制限されない。
【００２０】
続いて、保護ケース１の回路構造とその動作をさらに詳しく説明する。
【００２１】
図３は本考案に係る他の実施例における保護ケースの模式図である。図３を参照する。保護ケース１はモバイル通信装置９の収容に適用される。本実施例において、保護ケース１はスマートフォンなどの保護ケースであってもよい。モバイル通信装置９は、スマートフォン、タブレットまたパーソナル・デジタル・アシスタント（ＰＤＡ）などであってもよい。説明の便宜上、本実施例において、モバイル通信装置９はスマートフォンとする。本実施例において、モバイル通信装置９の態様は制限されない。
【００２２】
保護ケース１は収容部１２と、底部１４と、拡張装置１０を含む。収容部１２はモバイル通信装置９を収容する。底部１４は、収容部１２と接続されると共に、収容部１２の外側の底部に設置される。拡張装置１０が収容部１２の外側に設置される。図２のように、拡張装置１０の本体１００と収容部１２が一体化される。出力インターフェイス１００４は収容部１２の内側に設置される。外部電源インターフェイス１００２は収容部１２の外側に設置される。説明の便宜上、本実施例の拡張装置１０は収容部１２の下方の短辺側に設置されたものとする。他の実施例において、拡張装置１０は収容部１２の上方の短辺側に設置され、あるいは収容部１２の左右長辺側に設置される。
【００２３】
保護ケース１は、スマートフォンの保護ケースとしてのプラスチック保護ケース又はその他の材質からなる保護ケースであってもよい。収容部１２はスマートフォンを収容する。スマートフォンの型態に応じて、収容部１２にはカメラレンズ孔構造、スマートフォンポタン孔構造、充電孔構造又はその他の孔構造が配置されるようにしてもよい。保護ケース１の態様が本実施例によって制限されない。また、保護ケース１は埃、衝撃、衝突、傷や擦り傷、水、を防止する効果及び衝撃吸収の効果を奏する。例えば、埃、汚れがスマートフォンの挿入孔又は接続ポートに入ることがなくなり、そのため埃がたまることによって挿入孔又は接続ポートが壊れることは回避される。
【００２４】
フレキシブル回路基板１２０が底部１４内に設置される。底部１４は保護ケース１の外カバーである。フレキシブル回路基板１２０は外カバーの内部から接続部Ｃ１に延伸される。
即ち、フレキシブル回路基板１２０の末端が接続部Ｃ１に電気的に接続される。接続部Ｃ１はモバイル電源装置ＰＢ（Ｐｏｗｅｒ  Ｂａｎｋ）に電気的に接続される。接続部Ｃ１はモバイル電源装置ＰＢに対応じて電気接合する接続ポート。接続部Ｃ１は係合、挿入、マグネット付着又はその他の方式を介してモバイル電源装置ＰＢと電気的に接続できる。接続部Ｃ１の態様が本実施例によって制限されない。
【００２５】
フレキシブル回路基板１２０が変換ユニット１１０に電気的に接続される。フレキシブル回路基板１２０は本体１００から外に向けて延伸され、電力の出力を行う。外部電源インターフェイス１００２は商用電源を受電する。変換ユニット１１０は商用電源を第一電力と第二電力に変換し、出力インターフェイス１００４によって第一電力が出力され、フレキシブル回路基板１２０によって第二電力が転送される。
【００２６】
拡張装置１０は外部電源インターフェイス１００２を介して例えば１１０Ｖ（ボルト）の交流電力を受け取る。電源プラグ４０が商用電源と外部電源インターフェイス１００２に電気的に接続される。電源プラグ４０は交流−直流変換回路という回路仕様を具えることによって直流電力を拡張装置１０に出力される。直流電力は外部電源インターフェイス１００２から入る。変換ユニット１１０が直流−直流変換回路を具え、直流電力をスマートフォンに適用される第一電力に変換する。また、変換ユニット１１０は直流電力をモバイル電源装置ＰＢに適用される第二電力に変換してフレキシブル回路基板１２０を介して第二電力を転送する。
【００２７】
他の実施例において、電源プラグ４０は交流−直流変換回路を備えない回路仕様であり、交流電力が外部電源インターフェイス１００２から入力される。変換ユニット１１０が交流−直流変換回路を具え、交流電力を直流電力に変換でき、そして直流電力に対して整流、電圧安定、変圧などの処理作業を行う。変換ユニット１１０は出力インターフェイス１００４を介して第一電力を転送し、フレキシブル回路基板１２０を介して第二電力を転送される。本実施例において、拡張装置１０の態様は制限されない。
【００２８】
図４は本考案に係る他の実施例における拡張装置の機能ブロック図である。図４に示されたように、本実施例における図４の拡張装置１０ａは前述の実施例における図２の拡張装置１０と似ている。しかし拡張装置１０ａと拡張装置１０には違いがある。拡張装置１０ａはフレキシブル回路基板１２０を含む。フレキシブル回路基板１２０が変換ユニット１１０のスイッチ素子１１１０に電気的に接続される。フレキシブル回路基板１２０は外に延伸され、電力の出力を行う。ここではその詳細を省略する。
【００２９】
そのほか、変換ユニット１１０は変換素子１１０２と、電圧安定化素子１１０４と、変圧素子１１０６と、制御素子１１０８と、制御素子１１０８に電気的に接続されるスイッチ素子１１１０を含む。変換素子１１０２が外部電源インターフェイス１００２と電圧安定化素子１１０４に電気的に接続される。変圧素子１１０６が出力インターフェイス１００４とフレキシブル回路基板１２０に電気的に接続される。スイッチ素子１１１０が変圧素子１１０６とフレキシブル回路基板１２０との間に電気的に接続される。制御素子１１０８は電圧安定化素子１１０４又は変圧素子１１０６に電気的に接続される。制御素子１１０８は、スイッチ素子１１１０のオン又はオフを制御できる。
【００３０】
制御素子１１０８が半導体電子素子の制御回路、処理回路又は判断回路によって実現される。本実施例において、制御素子１１０８の態様は制限されない。制御素子１１０８の動作電源は電圧安定化素子１１０４から供給される。そのほかの実施例において、制御素子１１０８の動作電源は変圧素子１１０６から供給される。当業者は、自由に制御素子１１０８を設計することができる。
【００３１】
また、本実施例はさらに電源プラグ４０を含め。電源プラグ４０が商用電源と外部電源インターフェイス１００２との間に電気的に接続する。電源プラグ４０は交流−直流変換回路を具える。変換素子１１０２は直流−直流変換回路を具える。直流−直流変換回路は例えば直流昇圧回路、直流降圧回路又は直流升降圧回路によって実現される。電圧安定化素子１１０４は電圧安定化回路又はフィルタ回路などであってもよい。変圧素子１１０６は変圧回路などであってもよい。ほかの実施例において、変換素子１１０２は、交流電力を直流電力に変換するための交流−直流変換回路であってもよい。本実施例において、変換素子１１０２と、電圧安定素子１１０４と変圧素子１１０６の態様は制限されない。
【００３２】
そのほか、変換ユニット１１０は保護素子（図示せず）を更に含む。保護素子は例えば過充保護回路、過電流保護回路又は過電圧保護回路によって実現される。本実施例において、保護素子の態様は制限されない。
【００３３】
保護ケースは例えば交流商用電源などの外部電源に電気的に接続される。外部電源からの電力は電源プラグ４０と外部電源インターフェイス１００２を介して変換ユニット１１０に入る。変換素子１１０２により交流電力を直流電力に変換してから、電圧安定化素子１１０４により直流電力を電圧安定化して変圧素子１１０６に転送する。直流電力が出力インターフェイス１００４によってスマートフォンに出力される。また、直流電力が接続部Ｃ１によってモバイル電源装置ＰＢに出力される。
【００３４】
本実施例において、商用電源はスマートフォン及びモバイル電源装置ＰＢに充電できる。モバイル電源装置ＰＢが完全充電状態になった後、制御素子１１０８は、スイッチ素子１１１０が中断状態になるように制御することによって、モバイル電源装置ＰＢに対する外部電源からの電力提供が停止される。また、変圧素子１１０６と出力インターフェイス１００４との間にスイッチ素子（図示せず）を設置するようにしてもよい。これによって、制御素子１１０８は、変圧素子１１０６とモバイル通信装置９との間の電力供給回路のオン・オフを制御できる。
【００３５】
本実施例において、処理ユニット１３０２と制御素子１１０８などの２つの制御回路、処理回路又は判断回路を含む。しかし、処理ユニット１３０２と制御素子１１０８の機能と用途が違う。他の実施例において、処理ユニット１３０２と制御素子１１０８を一つの制御回路、処理回路又は判断回路に統合してもよく、更に各ユニットとの間の信号を処理すると共にスイッチ素子１１１０のオン・オフを制御できるようにしてもよい。本実施例において、処理ユニット１３０２と制御素子１１０８の態様は制限されない。
【００３６】
図５は本考案に係る他の実施例における拡張装置の機能ブロック図である。図５に示されたように、本実施例における図５の拡張装置１０ｂは前述の実施例における拡張装置１０と似ている。しかし、拡張装置１０ｂと拡張装置１０との間に差がある。その相違点は、拡張装置１０ｂが少なくとも一つの無線充電モジュールＷＣを更に含むことである。無線充電モジュールは保護ケースの底部１４及び収容部１２に配置される。本実施例において、無線充電モジュールの態様は制限されない。
【００３７】
無線充電モジュールは、無線充電技術によって変換ユニット１１０の蓄電池に対して充電又は放電する。あるいは、無線充電モジュールＷＣは、無線充電技術によってスマートフォンに対して充電又は放電する。無線充電モジュールＷＣが出力インターフェイス１００４に接続され、出力インターフェイス１００４がスマートフォンに接続される。無線充電モジュールが変換ユニット１１０の蓄電池に接続される。
【００３８】
無線充電モジュールＷＣは、誘導コイル（図示せず）と、磁力変換器（図示せず）と、送電制御器（図示せず）と、受電制御器（図示せず）と、電力変換器（図示せず）を含むようにしてもよい。誘導コイルは、磁力変換器、送電制御器、受電制御器及び電力変換器に電気的に接続される。磁力変換器は送電制御器に電気的に接続される。受電制御器は電力変換器に電気的に接続される。磁力変換器と送電制御器は放電手段として機能する。受電制御器と電力制御器は充電手段として機能する。
【００３９】
すなわち、無線充電モジュールＷＣは無線充電器の上に放置して、変換ユニット１１０の蓄電池充電作業を行うことができる。変換ユニット１１０の蓄電池の蓄電力が完全充電状態になったら、無線充電モジュールＷＣは磁力制御器と送電制御器によって、変換ユニット１１０の蓄電池を放電して無線充電機能付きのスマートフォンに充電することができる。他の実施例において、スマートフォンは無線充電機能を有しないようにしてもよい。故に、無線充電モジュールＷＣは出力インターフェイス１００４に電気的に接続され、変換ユニット１１０の蓄電池の電力を出力インターフェイス１００４によってスマートフォンに出力される。上述の違い以外、本実施例の操作は前述の実施例の効果が実質的に同じなので、ここではその詳細を省略する。
【００４０】
上記のように、本考案に係る拡張装置及び保護ケースは、拡充モジュールの設計を介して外部設備と通信する。拡充モジュールは通信ユニットを含んでおり、無線方式又は有線方式でウェアラブルデバイスもしくはスマート家電に通信する。ウェアラブルデバイスとスマート家電が記録したデータは拡充モジュールの記憶ユニットに転送して記録されることができる。又は、ウェアラブルデバイスとスマート家電が記録したデータは、直接にモバイル通信装置に転送されるようにしてもよい。もちろん、記憶ユニットはモバイル通信装置の追加メモリーとして利用することによって、モバイル通信装置の記憶可能データ量を増加するようにしてもよい。拡充モジュールは、電源変換の設計に応じて、モバイル通信装置に供電し、もしくはフレキシブル回路基板から電力を伝送するものである。変換ユニットは、直流−直流変換回路又は交流−直流変換回路を介して第一電力及び第二電力を出力する。第一電力は出力インターフェイスにより出力される。第二電力はフレキシブル回路基板により出力される。ユーザーは保護ケースを使用する場合、外部電源によってスマートフォンを直接的に充電することは可能である。従って、本考案は確実に拡張装置及びその保護ケースの操作方便性、効率と品質を上げる効果を奏する。
【００４１】
以上は本考案の好ましい実施例に過ぎず、本考案の実用新案登録請求の範囲を制限するものではない。
【符号の説明】
【００４２】
１：保護ケース
９：モバイル通信装置
１０、１０ａ、１０ｂ：拡張装置
１００：本体
１００２：外部電源インターフェイス
１００４：出力インターフェイス
１１０：変換ユニット
１１０２：変換素子
１１０４：電圧安定化素子
１１０６：変圧素子
１１０８：制御素子
１１１０：スイッチ素子
１２０：フレキシブル回路基板
１３０：拡充モジュール
１３０２：処理ユニット
１３０４：通信ユニット
１３０６：記憶ユニット
１２：収容部
１４：底部
４０：電源プラグ
ＰＤ１〜ＰＤ３：外部設備
ＷＣ：無線充電モジュール
Ｗ１：無線通信素子
Ｌ１：有線通信素子
Ｃ１：接続部
ＰＢ：モバイル電源装置
【図１】
0003204611.tif 000003
【図２】
0003204611.tif 000004
【図３】
0003204611.tif 000005
【図４】
0003204611.tif 000006
【図５】
0003204611.tif 000007
【手続補正書】
【提出日】平成28年3月28日(2016.3.28)
【手続補正１】
【補正対象書類名】実用新案登録請求の範囲
【補正対象項目名】全文
【補正方法】変更
【補正の内容】
【実用新案登録請求の範囲】
【請求項１】
モバイル通信装置を保護する保護ケースに適用される拡張装置であって、
出力インターフェイス及び外部電源インターフェイスを有する本体と、
前記本体内に設置され、前記出力インターフェイス及び前記外部電源インターフェイスに電気的に接続される変換ユニットと、
前記変換ユニットに電気的に接続され、外部設備と通信するための拡充モジュールと、
を含むことを特徴とする拡張装置。
【請求項２】
前記拡充モジュールは、
記憶ユニットと、
前記外部設備と通信するための通信ユニットと、
前記変換ユニット、前記出力インターフェイス、前記記憶ユニット及び前記通信ユニットに電気的に接続されており、各ユニットとの間の信号を処理して前記モバイル通信装置に送る若しくは前記モバイル通信装置から伝送された信号を受け取る処理ユニットと、
を含み、
前記変換ユニットは、前記処理ユニット、前記通信ユニット及び前記記憶ユニットに供電することを特徴とする請求項１記載の拡張装置。
【請求項３】
前記記憶ユニットは、ＳＤカード及びフラッシュメモリーのいずれか一つ又はその組み合わせであり、
前記通信ユニットは、無線通信素子及び有線通信素子のいずれか一つ又はその組み合わせであることを特徴とする請求項２記載の拡張装置。
【請求項４】
前記拡張装置は、前記変換ユニットに電気的に接続され、前記本体から外に向けて延伸されるフレキシブル回路基板を更に含み、
前記外部電源インターフェイスにより商用電源を受電し、前記変換ユニットにより前記商用電源を第一電力及び第二電力に変換し、前記出力インターフェイスにより前記第一電力を出力し、前記フレキシブル回路基板により前記第二電力を伝送することを特徴とする請求項１記載の拡張装置。
【請求項５】
前記変換ユニットは、
電圧安定化素子と、
前記外部電源インターフェイス及び前記電圧安定化素子に電気的に接続される変換素子と、
前記出力インターフェイス及び前記フレキシブル回路基板に電気的に接続される変圧素子と、
を含むことを特徴とする請求項４に記載の拡張装置。
【請求項６】
前記変換ユニットは、
前記電圧安定化素子又は前記変圧素子に電気的に接続される制御素子と、
前記制御素子に電気的に接続されると共に前記変圧素子と前記フレキシブル回路基板との間に電気的に接続されるスイッチ素子と、
を含み、
前記制御素子は前記スイッチ素子のオン又はオフを制御することを特徴とする請求項５に記載の拡張装置。
【請求項７】
前記保護ケースに設置されると共に前記出力インターフェイスに電気的に接続されており、前記モバイル通信装置に供電するための無線充電モジュールを更に含むことを特徴とする請求項１に記載の拡張装置。
【請求項８】
前記変換ユニットは、電力を保存して前記拡充モジュールに供電するための蓄電池を更に含むことを特徴とする請求項１に記載の拡張装置。
【請求項９】
モバイル通信装置に装着される保護ケースであって、
前記モバイル通信装置を収容する収容部と、
前記収容部の外側に設置される請求項１に記載の拡張装置と、
を含むことを特徴とする保護ケース。
【請求項１０】
前記保護ケースは、前記収容部と接続されており、前記保護ケースの外カバーとしての底部を更に含み、
前記変換ユニットに電気的に接続されるフレキシブル回路基板が、前記外カバー内で接続部まで延伸され、その末端が前記接続部に電気的に接続され、
前記接続部はモバイル電源装置に電気的に接続されることを特徴とする請求項９に記載の保護ケース。
【請求項１１】
前記拡張装置の前記本体と前記収容部とは一体化され、
前記出力インターフェイスは前記収容部の内側に設置され、
前記外部電源インターフェイスは前記収容部の外側に設置されることを特徴とする請求項９に記載の保護ケース。
【請求項１２】
前記保護ケースに設置されると共に前記出力インターフェイスに電気的に接続されており、前記モバイル通信装置に供電するための無線充電モジュールを更に含むことを特徴とする請求項９に記載の保護ケース。